(57)【要約】      （修正有）【課題】折りたたむことができ分解・組み立てが容易で、捕獲した大型動物が暴れても金網や構造部材があまり歪まず分解・組み立てが困難にならない捕獲装置を提供する。【解決手段】直方体の金属籠を胴部と前面と背面に分割し、胴部は側面と上面と底面を螺旋で連結し、さらに上面と底面を中央部で２分割して螺旋で連結して折りたたみ可能な構造とし、前面と背面はスライド扉を差し込むことができる枠からなり、金属籠胴部を広げた状態で、前面枠と背面枠を嵌めこんでお互いをワイヤーで引っ張りターンバックルを使用して締め込む構造とした。【選択図】図１
0003151260.tif 000002
【実用新案登録請求の範囲】
【請求項１】
猪や鹿等の動物を捕獲する直方体の金網籠において、金網籠胴部の上面金網と底面金網および側面金網を長手方向に羅線でお互いに連結し、また、該上面金網の中央部および該底面金網の中央部を長手方向に２分割してお互いを螺旋で連結し、さらに、該金網籠の前面および／または背面は上下動するスライド扉と該スライド扉をガイドするスライド枠からなり、該スライド枠の側部に短ワイヤーを取り付け、前面の該スライド枠および背面の該スライド枠を該金網籠胴部の前面端部および背面端部に嵌め込んだ状態で、前面と背面の該スライド枠の該短ワイヤーをお互いに引き付けてターンバックルで接続して締め込み該スライド枠を該金網籠胴部に固定した折りたたみ式動物捕獲装置。
【請求項２】
請求項１において、上記金網籠の前面または背面のどちらか一方が、金網と金網の周囲を固定する枠から成り、該枠の側部に短ワイヤーを取り付け、前面または背面の上記スライド枠と、背面または前面の該枠を上記金網籠胴部の前面端部および背面端部に嵌め込んだ状態で、該スライド枠と該枠の該短ワイヤーをお互いに引き付けて上記ターンバックルで接続して締め込み該スライド枠と該枠を該金網籠胴部に固定した折りたたみ式動物捕獲装置。
【考案の詳細な説明】
【技術分野】
【０００１】  本考案は、動物捕獲装置に関するもので、折りたたみと分解・組み立てが簡単で、持ち運びが容易な装置を提供する。
【背景技術】
【０００２】  田畑を荒らし人体に危害を加える猪や鹿等の大型動物の捕獲籠は大きな籠で嵩張り一人では持ち運びできない。持ち運びを容易にするために、分解する方法もとられる。この場合、直方体の捕獲籠の６面をボルトナットやクランプを使用して組み立てるとか、嵌め込み式でピンを使って固定する方法がとられている。
【先行技術文献】
【特許文献】
【０００３】
【特許文献１】実願２００８−００８９９５
【特許文献２】特開２００６−２２３１６５
【特許文献３】特開２００２−２１８８９６
【考案の概要】
【考案が解決しようとする課題】
【０００４】  従来の捕獲籠を分解してボルトナットやクランプを使用して分解・組み立てを行う方法は分解・組み立てが面倒であるばかりか、猪や鹿等の大型動物は捕獲後、籠の中で暴れて、金網籠や構成部材を歪めてしまい、ボルト穴やピン穴が合わず分解・組み立てが困難となる問題がある。
【課題を解決するための手段】
【０００５】  そこで、本考案者は、折りたたむことができ分解・組み立てが容易で、捕獲した大型動物が暴れても金網や構成部材があまり歪まず分解・組み立てが困難にならない捕獲装置を考案した。本考案の構造を図で説明する。図１は本考案の折りたたみ式動物捕獲装置の斜視図である。また、図３は組み立て前のパーツ図である。本考案の折りたたみ式動物捕獲装置のパーツは、金属籠胴部２、前面スライド枠３、前面金網（スライド扉）４、背面スライド枠５、背面金網（スライド扉）６、短ワイヤー７ａ〜ｄ、ターンバックル８ａ、８ｂからなる。図５は金属籠胴部２を完全に広げた状態の斜視図である。金属籠胴部２は側面金網９ａ、９ｂと上面金網１０ａ、底面金網１０ｂからなる。これらはお互いに螺旋１１ａ〜ｄで連結され連結部で折れ曲がるようになっている。また、上面金網１０ａと底面金網１０ｂは長手方向に中央部で２分割されて螺旋１２ａ、１２ｂでそれぞれ連結され連結部で折れ曲がるようになっている。前面スライド枠３と背面スライド枠５はそれぞれアングル等で製作されており、金属籠胴部２の端部がアングルの溝に丁度入るようになっている。また、前面スライド枠３と背面スライド枠５は、それぞれ前面金網（スライド扉）４と背面金網（スライド扉）６が、差し込まれ上下にスライドできるようになっている。また、前面スライド枠３と背面スライド枠５の左右の側部には、それぞれ、穴開きリブ等が付けられ、シャックル等を使って短ワイヤー７ａ〜ｄが取り付けられている。【０００６】  次に、本考案の折りたたみ式動物捕獲装置の組み立て方を図で説明する。最初に、金属籠胴部２を図４のように側面金網９ａ、９ｂをお互いに離して広げると、上面金網１０ａは羅線１１ａ、１１ｂおよび螺旋１２ａを支点に広がり、底面金網１０ｂも螺旋１１ｃ、１１ｄと螺旋１２ｂを支点に広がる。完全に広がった状態が図５である。このとき、上面金網１０ａが自重で再度折り曲がらないように上面金網１０ａの中央部を棒か何かで仮り支えをしておく。次に、前面スライド枠３を立てて金属籠胴部２の前面端部に嵌め込む。また、背面スライド枠５を金属籠胴部２の背面端部に嵌め込む。前面スライド枠３の短ワイヤー７ｂと背面スライド枠５の短ワイヤー７ｄをお互いに引き付けターンバックル８ｂを使用して繋ぐ、同様に、前面スライド枠３の短ワイヤー７ａと背面スライド枠５の短ワイヤー７ｃをお互いに引き付けターンバックル８ａを使用して繋ぐ。ターンバックル８ａ、８ｂを徐々に締め込み、前面スライド枠３と背面スライド枠５を金属籠胴部２にしっかりと固定する。上面金網１０ａと底面金網１０ｂは、端部が前面スライド枠３の溝と背面スライド枠５の溝に入るため、仮り支えを取っても内側に折れ曲がることはない。最後に、前面金網（スライド扉）４と背面金網（スライド扉）６を前面スライド枠３と背面スライド枠５にそれぞれ差し込んで完成する。【０００７】  前面金網（スライド扉）４と背面金網（スライド扉）６は、動物捕獲前は上方へ持ち上げた状態で設置固定され、動物が捕獲装置内の餌を引っ張った時、固定が外れて落下して閉じる構造であるが、今回の実用新案では前面金網（スライド扉）４と背面金網（スライド扉）６の設置固定方法は何であっても良くこの部分は特に触れない。【０００８】  次に、本考案の金属籠の折りたたみ方を図で説明する。図８は、本考案の折りたたみ式動物捕獲装置の金属籠胴部２の折りたたみ手順を示した正面説明図で、完成品から、前面金網（スライド扉）４と背面金網（スライド扉）６を抜き取り、ターンバックル８ａ、８ｂを緩めて、前面スライド枠３と背面スライド枠５を金属籠胴部２から取り外した後の図である。側面金網９ａと９ｂをお互いに近付けると、上面金網１０ａは螺旋１１ａと１１ｂおよび螺旋１２ａを支点に内側へ折れ曲がり、また、底面金網１０ｂは螺旋１１ｃと１１ｄおよび螺旋１２ｂを支点に内側へ折れ曲がる。この時、底面金網１０ｂが内側へ折れ曲がるように底面金網１０ｂの中央部を多少持ち上げる。側面金網９ａと９ｂをさらに接近させると、図８の一番下の図のように完全に折りたたむことができる。【０００９】  本明細書中で、猪や鹿等の大型動物用の金属籠を挙げているが、動物の大きさや種類は特に限定しない。【００１０】  本明細書中で、前面スライド枠３または背面スライド枠５に短ワイヤーの両端２箇所を取り付け、短ワイヤーの中央部を引っ張りターンバックル８ａ、８ｂで繋ぐ構造であるが、図９に示すように短ワイヤー７ａ〜ｄの一端１箇所をスライド枠に取り付け、他端を引っ張りターンバックルで繋ぐ構造であっても良い。【００１１】  本明細書中で、前面スライド枠３と背面スライド枠５の短ワイヤー７ａ〜ｄを引っ張りターンバックルで繋ぐ構造であるが、図１０に示すように、金属籠の側面金網９ａ、９ｂに穴付きのリブ１３ａ、１３ｂ等を取り付け、そのリブと短ワイヤーをターンバックルで繋ぐ構造であっても良い。【００１２】  請求項２の考案はスライド扉を直方体の金属籠の前面と背面の両方に取り付けるのではなく、前面または背面の一方に取り付けた場合の考案で、スライド扉は２箇所設ける必要がなく１箇所でも良い【００１３】  前面スライド枠３と背面スライド枠５を固定している短ワイヤー７ａ〜ｄは多少伸縮性があり、強力な力がかかった時に少し伸びて力を吸収することができる。これが、捕獲動物が暴れた（体当たりした）時の金網籠および構成部材の変形（歪み）を防止できる。また、前面スライド枠３と背面スライド枠５を金網籠胴部２の前面端部または背面端部に嵌め込んだ状態には嵌め込み部に隙間があるため、強力な力がかかった時に力を吸収することができる他、金網籠および構成部材が多少歪んでも分解・組み立てには問題がない。
【考案の効果】
【００１４】  本考案は折りたたみ式なので場所を取らず持ち運びが簡単で一人で持ち運びができ組み立てができる。また、捕獲動物が暴れても前面と背面のスライド枠を固定している短ワイヤーの伸縮性により、金網や構成部材が大きく歪み分解再組み立てが困難になることはない。
【図面の簡単な説明】
【００１５】
【図１】  本考案の折りたたみ式動物捕獲装置の斜視図である。
【図２】  本考案の折りたたみ式動物捕獲装置で動物を捕獲しスライド扉を閉めた状態の斜視図である。
【図３】  本考案の折りたたみ式動物捕獲装置の分解後のパーツ図である。
【図４】  本考案の折りたたみ式動物収除装置の金属籠胴部の組み立て中の斜視図である。
【図５】  本考案の折りたたみ式動物収除装置の金属籠胴部を完全に広げた状態の斜視図である。
【図６】  本考案の折りたたみ式動物捕獲装置の金属籠の組み立て中の斜視図である。
【図７】  本考案の折りたたみ式動物捕獲装置の金属籠の組み立て中の斜視図である。
【図８】  本考案の折りたたみ式動物捕獲装置の金属籠胴部の折りたたみ手順を示した正面説明図である。
【図９】  本考案の折りたたみ式動物捕獲装置の短ワイヤーの取り付けの他の事例図である。
【図１０】  本考案の折りたたみ式動物捕獲装置の側面金網にリブを取り付けた事例図である。
【産業上の利用可能性】
【００１６】  田畑を荒らし人体に危害を加える猪や鹿の大型小動物の捕獲に利用することができる。
【符号の説明】
【００１７】１  折りたたみ式動物捕獲装置
２  金属籠胴部
３  前面スライド枠
４  前面金網（スライド扉）
５  背面スライド枠
６  背面金網（スライド扉）
７ａ〜ｄ  短ワイヤー
８ａ、８ｂ  ターンバックル
９ａ、９ｂ  側面金網
１０ａ、１０ｂ  上面金網と底面金網
１１ａ〜ｄ  羅線
１２ａ、１２ｂ  金網中央部羅線
１３ａ、１３ｂ  穴付きのリブ
【図１】
0003151260.tif 000003
【図２】
0003151260.tif 000004
【図３】
0003151260.tif 000005
【図４】
0003151260.tif 000006
【図５】
0003151260.tif 000007
【図６】
0003151260.tif 000008
【図７】
0003151260.tif 000009
【図８】
0003151260.tif 000010
【図９】
0003151260.tif 000011
【図１０】
0003151260.tif 000012